(57)【要約】【課題】防水性能を高めた撮像装置を提供する。【解決手段】防水型デジタルカメラ（撮像装置）に、焦点距離を変化させるズーム時に前後に進退するレンズ鏡胴３０と、前カバー３２と一体に形成されて前方に突出し、所定の隙間を有してレンズ鏡胴３０を被う鏡胴カバー３３と、その鏡胴カバー３３の前方にコンバータレンズ３１を取り付けるための取付部が設けられた円筒状部材３８と、レンズ鏡胴３０の前方を覆うカバーガラス３５と、円筒状部材３８をカバーガラス３５側に押し付けて固定する固定部材３９と、カバーガラス３５と鏡胴カバーとの間に挟まれた第１防水パッキン３６と、円筒状部材３８に取り付けるコンバータレンズ３１のねじ部（取付部）４３の前方に第２防水パッキン４４と、円筒状部材３８と鏡胴カバー３３の間に第３防水パッキン４２を備える。【選択図】図４
2005215152.tif 000002
【特許請求の範囲】
【請求項１】
焦点距離を変化させるズーム時に前後に進退するレンズ鏡胴と、
前カバーと一体に形成されて前方に突出し、所定の隙間を有して前記レンズ鏡胴を被う鏡胴カバーと、
該鏡胴カバーの先端に設けた、コンバータレンズを取り付けるための取付部を有する円筒状部材と、
前記レンズ鏡胴の前方を覆い、前記鏡銅カバーの先端に設けるカバーガラスと、
前記円筒状部材を前記カバーガラス側に押し付けて固定する固定部材と、
前記カバーガラスと前記鏡胴カバーとの間に挟まれた第１防水パッキンと、
前記円筒状部材に取り付ける前記コンバータレンズに有する取付部の前方に第２防水パッキンを備えた撮像装置において、
前記円筒状部材と前記鏡胴カバーの間に第３防水パッキンを備えたことを特徴とする撮像装置。
【請求項２】
前記第１防水パッキンないし第３防水パッキンは、少なくとも１つがＯリングであることを特徴とする請求項１に記載の撮像装置。
【請求項３】
前記第１防水パッキン、第２防水パッキンの少なくとも１つが両面テープで形成されていることを特徴とする請求項１または２に記載の撮像装置。
【請求項４】
焦点距離を変化させるズーム時に前後に進退するレンズ鏡胴と、
前カバーと一体に形成されて前方に突出し、所定の隙間を有して前記レンズ鏡胴を被う鏡胴カバーと、
該鏡胴カバーの先端に設けた、コンバータレンズを取り付けるための取付部を有する円筒状部材と、
該円筒状部材を手前に押し付けて固定する固定部材と、
前記レンズ鏡胴の前方を覆い、前記鏡銅カバーの先端に設けるカバーガラスと、
該カバーガラスと前記鏡胴カバーとの間に挟まれた第１防水パッキンと、
前記円筒状部材に取り付ける前記コンバータレンズに有する取付部の前方に第２防水パッキンを備えた撮像装置において、
前記円筒状部材と前記カバーガラスとの間に第４防水パッキンを備えたことを特徴とする撮像装置。
【請求項５】
前記第１防水パッキン、第２防水パッキン、第４防水パッキンの少なくとも１つがＯリングであることを特徴とする請求項４に記載の撮像装置。
【請求項６】
前記第１防水パッキン、第２防水パッキン、第４防水パッキンは、少なくとも１つが両面テープで形成されていることを特徴とする請求項４または５に記載の撮像装置。
【請求項７】
前記円筒状部材が金属製であることを特徴とする請求項１ないし６のいずれかに記載の撮像装置。
【請求項８】
前記コンバータレンズ取付前において、前記円筒状部材の外側に設けられた弾性部材が前記円筒状部材よりも僅かに前方に突出していることを特徴とする請求項１ないし７のいずれかに記載の撮像装置。
【発明の詳細な説明】
【技術分野】
【０００１】
本発明は、焦点距離を変化させるズーム時に前後に進退するレンズ鏡胴と、前カバーと一体に形成されて前方に突出し、所定の隙間を有して前記レンズ鏡胴を被う鏡胴カバーと、その鏡胴カバーの前方にコンバータレンズを取り付けるためのネジ部が設けられた円筒状部材と、その円筒状部材を後方に押し付けて固定する固定部材と、レンズ鏡胴の前方を覆うカバーガラスと、鏡胴カバーとカバーガラスとの間に挟まれた防水パッキンと、円筒状部材のネジ部に取り付けるコンバータレンズのネジ部の奥に防水パッキンを備えたスチールカメラ、デジタルカメラなどの撮像装置に関する。
【背景技術】
【０００２】
従来、カメラに防水構造を設けたものとして、例えば特許文献１では、水中撮影に耐えられる防水構造のカメラ本体と、そのカメラ本体に一体的に取付けられた鏡筒外筒と、その鏡筒外筒に対して光軸方向に進退自在なズーム移動枠と、上記鏡筒外筒と上記ズーム移動枠との摺動部が防水されるように上記鏡筒外筒の先端部に設けられたワイドコンバータと、上記ズーム移動枠が上記鏡筒外筒に取付けられたことを検知するコンバータ装着検知スイッチと、上記コンバータ装着検知スイッチの出力に基づいて上記ズーム移動枠を予め定められた所定の位置に駆動するとともに、上記ズーム移動枠を上記所定の位置に駆動した後に、このズーム移動枠の駆動を禁止する駆動制御手段を備えた防水カメラが開示されている。この文献によると、この防水カメラはコンバータレンズを装着したときにも大型化することなく防水機能を達成するとされている。
【０００３】
【特許文献１】特許第３１７４２０５号公報
【発明の開示】
【発明が解決しようとする課題】
【０００４】
上記特許文献１では、鏡筒外筒の内周面のワイドコンバータの後端面が当接する部分に防水用のＯリングが接着されていて、このＯリングの内径に接するように、この鏡筒外筒の内部にズームにより撮影光軸方向に進退する第２のレンズ鏡筒たるズーム移動枠が設けられている。そしてこれにより、鏡筒外筒とズーム移動枠の間には水などの侵入を防止するようになっている。
しかし、この構成によれば、第２のレンズ鏡筒たるズーム移動枠がズーム時に撮影光軸方向に進退した時には、前記Ｏリングと移動しながら当接することになり、Ｏリングがズーム移動枠と絶えず擦り合わされるため、変形によりＯリングに隙間ができてしまい、撮影レンズとコンバータレンズとの間の空間に水が浸入し、十分な防水性能が発揮されないという問題がある。
また、ズーム移動枠が撮影光軸方向に進退した時には、カメラ内部の気圧の変化が起きて、上記同様、Ｏリングとズーム移動枠との間から水漏れが起きる可能性があり、十分な防水性能が保たれないという問題もある。
そこでこの発明の目的は、防水性能を高めた撮像装置を提供することにある。
【課題を解決するための手段】
【０００５】
請求項１に記載の発明は、  焦点距離を変化させるズーム時に前後に進退するレンズ鏡胴と、
前カバーと一体に形成されて前方に突出し、所定の隙間を有して前記レンズ鏡胴を被う鏡胴カバーと、
該鏡胴カバーの先端に設けた、コンバータレンズを取り付けるための取付部を有する円筒状部材と、
前記レンズ鏡胴の前方を覆い、前記鏡銅カバーの先端に設けるカバーガラスと、
前記円筒状部材を前記カバーガラス側に押し付けて固定する固定部材と、
前記カバーガラスと前記鏡胴カバーとの間に挟まれた第１防水パッキンと、
前記円筒状部材に取り付ける前記コンバータレンズに有する取付部の前方に第２防水パッキンを備えた撮像装置において、
前記円筒状部材と前記鏡胴カバーの間に第３防水パッキンを備えたことを特徴とする。
【０００６】
請求項１の発明によれば、円筒状部材と鏡胴カバーの間に第３防水パッキンを備えたので、コンバータレンズとカバーガラスとの間を完全に防水することが可能となる。
【０００７】
請求項２に記載の発明は、請求項１に記載の撮像装置において、前記第１防水パッキンないし第３防水パッキンは、少なくとも１つがＯリングであることを特徴とする。
【０００８】
請求項２の発明によれば、第１防水パッキンないし第３防水パッキンは、少なくとも１つがＯリングであるので、汎用性の高いＯリングを使用することにより、品質の確保がしやすく防水性能の保証がしやすくなる。
【０００９】
請求項３に記載の発明は、請求項１または２に記載の撮像装置において、前記第１防水パッキン、第２防水パッキンの少なくとも１つが両面テープで形成されていることを特徴とする。
【００１０】
請求項３の発明によれば、前記第１防水パッキン、第２防水パッキンの少なくとも１つが両面テープで形成されているので、ゴムパッキン等に比べて厚みを薄くすることができ、コンパクトな撮像装置を提供することが可能となる。
【００１１】
請求項４に記載の発明は、焦点距離を変化させるズーム時に前後に進退するレンズ鏡胴と、
前カバーと一体に形成されて前方に突出し、所定の隙間を有して前記レンズ鏡胴を被う鏡胴カバーと、
該鏡胴カバーの先端に設けた、コンバータレンズを取り付けるための取付部を有する円筒状部材と、
該円筒状部材を手前に押し付けて固定する固定部材と、
前記レンズ鏡胴の前方を覆い、前記鏡銅カバーの先端に設けるカバーガラスと、
該カバーガラスと前記鏡胴カバーとの間に挟まれた第１防水パッキンと、
前記円筒状部材に取り付ける前記コンバータレンズに有する取付部の前方に第２防水パッキンを備えた撮像装置において、
前記円筒状部材と前記カバーガラスとの間に第４防水パッキンを備えたことを特徴とする。
【００１２】
請求項４の発明によれば、円筒状部材とカバーガラスとの間に第４防水パッキンを備えたので、コンバータレンズとカバーガラスとの間を完全に防水することが可能となる。
【００１３】
請求項５に記載の発明は、請求項４に記載の撮像装置において、前記第１防水パッキン、第２防水パッキン、第４防水パッキンの少なくとも１つがＯリングであることを特徴とする。
【００１４】
請求項５の発明によれば、第１防水パッキン、第２防水パッキン、第４防水パッキンの少なくとも１つがＯリングであるので、汎用性の高いＯリングを使用することにより、品質の確保がしやすく防水性能の保証がしやすくなる。
【００１５】
請求項６に記載の発明は、請求項４または５に記載の撮像装置において、前記第１防水パッキン、第２防水パッキン、第４防水パッキンは、少なくとも１つが両面テープで形成されていることを特徴とする。
【００１６】
請求項６の発明によれば、第１防水パッキン、第２防水パッキン、第４防水パッキンは、いずれかが両面テープで形成されているので、ゴムパッキン等に比べて厚みを薄くすることができ、コンパクトな撮像装置を提供することが可能となる。
【００１７】
請求項７に記載の発明は、請求項１ないし６のいずれかに記載の撮像装置において、前記円筒状部材が金属製であることを特徴とする。
【００１８】
請求項７の発明によれば、円筒状部材が金属製であるので、円筒状部材の剛性を強くし、コンバータレンズの重さやコンバータレンズに外力が加わった場合にも、各防水パッキンの変形を少なくし、防水性能を確実に確保する。
【００１９】
請求項８に記載の発明は、請求項１ないし７のいずれかに記載の撮像装置において、前記コンバータレンズ取付前において、前記円筒状部材の外側に設けられた弾性部材が前記円筒状部材よりも僅かに前方に突出していることを特徴とする。
【００２０】
請求項８の発明によれば、コンバータレンズ取付前において、円筒状部材の外側に設けられた弾性部材が円筒状部材よりも僅かに前方に突出しているので、コンバータレンズを取り付ける前に、前方より衝撃が加わった場合に、その衝撃を吸収することが可能となる。また、コンバータレンズを装着したときは、取付部の締め付け力により、弾性部材を縮ませてコンバータレンズを円筒部材に取り付け、確実にコンバータレンズを撮像装置に取り付ける。
【発明の効果】
【００２１】
請求項１に記載の発明によれば、円筒状部材と鏡胴カバーの間に第３防水パッキンを備えたので、コンバータレンズとカバーガラスとの間を完全に防水することができる。したがって、防水性能を高めた撮像装置を提供することができる。
【００２２】
請求項２に記載の発明によれば、第１防水パッキンないし第３防水パッキンは、少なくとも１つがＯリングであるので、汎用性の高いＯリングを使用することにより、品質の確保がしやすく防水性能の保証がしやすくなる。
【００２３】
請求項３に記載の発明によれば、前記第１防水パッキン、第２防水パッキンの少なくとも１つが両面テープで形成されているので、ゴムパッキン等に比べて厚みを薄くすることができ、コンパクトな撮像装置を提供することができる。
【００２４】
請求項４に記載の発明によれば、円筒状部材とカバーガラスとの間に第４防水パッキンを備えたので、コンバータレンズとカバーガラスとの間を完全に防水することができる。したがって、防水性能を高めた撮像装置を提供することができる。
【００２５】
請求項５に記載の発明によれば、第１防水パッキン、第２防水パッキン、第４防水パッキンの少なくとも１つがＯリングであるので、汎用性の高いＯリングを使用することにより、品質の確保がしやすく防水性能の保証がしやすくなる。
【００２６】
請求項６に記載の発明によれば、第１防水パッキン、第２防水パッキン、第４防水パッキンは、少なくとも１つが両面テープで形成されているので、ゴムパッキン等に比べて厚みを薄くすることができ、コンパクトな撮像装置を提供することができる。
【００２７】
請求項７に記載の発明によれば、円筒状部材が金属製であるので、円筒状部材の剛性を強くし、コンバータレンズの重さやコンバータレンズに外力が加わった場合にも、各防水パッキンの変形を少なくし、防水性能を確実に確保することができる。
【００２８】
請求項８に記載の発明によれば、コンバータレンズ取付前において、円筒状部材の外側に設けられた弾性部材が円筒状部材よりも僅かに前方に突出しているので、コンバータレンズを取り付ける前に、前方より衝撃が加わった場合に、その衝撃を吸収することが可能となる。また、コンバータレンズを装着したときは、取付部の締め付け力により、弾性部材を縮ませてコンバータレンズを円筒部材に取り付け、確実にコンバータレンズを撮像装置に取り付けることができる。
【発明を実施するための最良の形態】
【００２９】
〔第１の実施の形態〕
図１は本発明の撮像装置に係る防水型デジタルカメラの前方斜視図、図２は同じく後方斜視図を示す。
デジタルカメラ本体１は、正面から見て左側が弾性部材で作られた右手グリップ部２で、その後方にはメモリーカード（図示せず）と電池（図示せず）を装着可能なカードスロット部（図示せず）と電池室（図示せず）を被う電池蓋１２が設けられている。
【００３０】
中央には撮影レンズ３が取り付けられており、その上方にはユーザが撮影範囲等を目視で確認するための光学ファインダ５、低照度での撮影等の場合に補助光を発するためのストロボ６が設けられている。
デジタルカメラ本体１の上面には、デジタルカメラの各種モードを選択する回転型モードダイヤル７と、その中央にはカメラの電源をＯＮ／ＯＦＦする電源スイッチ８、シャッターボタン９、外部ストロボを取り付けるアクセサリシュー１０が設けられており、また、デジタルカメラ本体１の正面から見て右側が弾性部材で作られた左手グリップ部１４で、その後方には外部出力端子（図示せず）を被う端子蓋１１が設けられている。
【００３１】
デジタルカメラ本体１の後面には、撮影画像を表示したり、撮影モードを表示したりするＬＣＤモニター２１、また、ファインダ接眼部２２、ファインダＬＥＤ窓２３、ズームボタン２４、複数のモードスイッチ２５が設けられている。
【００３２】
図３は、防水型デジタルカメラのレンズ鏡胴３０のセンターでの垂直方向の外装カバーとコンバータレンズ３１の断面図、図４はその要部Ａの拡大断面図である。
ズーム時に前後に進退するレンズ鏡胴３０は、前カバー３２と一体に形成されて前方に突出し所定の隙間を有してレンズ鏡胴３０を覆う鏡胴カバー部３３を有し、その鏡胴カバー部３３先端３４と、レンズ鏡胴３０の前に配置されたカバーガラス３５との間にパッキン（第１パッキン）３６が挟まれ、コンバータレンズ３１を取り付けるためのねじ部（取付部）３７が設けられた円筒部材３８が、前カバー３２にネジ止めされた前外カバー（固定部材）３９により後方に押し付けられて、カバーガラス３５もまた後方に押し付けられている。
そして、円筒部材３８の後端４０と鏡胴カバー３３の中間部の段部４１との間にパッキン（第３パッキン）４２が挟まれている。
【００３３】
コンバータレンズ３１のネジ部（取付部）４３の前方に防水パッキン４４を備えていて、円筒状部材３８のネジ部３７に取り付けられると、コンバータレンズ３１に設けられたパッキン（第２パッキン）４４が円筒状部材３８に押し付けられて、結果としてカバーガラス３５とコンバータレンズ３１の間の空間４５が気密状態となる。
【００３４】
円筒部材３８と鏡胴カバー３３の外周（外側）は弾性部材４６で覆われていて、その弾性部材４６は円筒部材３８よりも僅かに前方に突出しているが、コンバータレンズ３１が装着された時には、ネジの締め付け力により弾性部材４６が後方に縮んでコンバータレンズ３１が円筒部材３８に当接する。
【００３５】
すなわち、防水型デジタルカメラ（撮像装置）は、焦点距離を変化させるズーム時に前後に進退するレンズ鏡胴３０と、前カバー３２と一体に形成されて前方に突出し、所定の隙間を有してレンズ鏡胴３０を被う鏡胴カバー３３と、その鏡胴カバー３８の先端に設けた、コンバータレンズ３１を取り付けるための取付部３７を有する円筒状部材３８と、レンズ鏡胴３０の前方を覆い、鏡銅カバー３３の先端に設けるカバーガラス３５と、円筒状部材３８をカバーガラス３５側に押し付けて固定する固定部材３９と、カバーガラス３５と鏡胴カバーとの間に挟まれた第１防水パッキン３６と、円筒状部材３８に取り付けるコンバータレンズ３１に有するねじ部（取付部）４３の前方に第２防水パッキン４４と、円筒状部材３８と鏡胴カバー３３の間に第３防水パッキン４２を備える。
【００３６】
なお、第１防水パッキン３６、第２防水パッキン４４、第３防水パッキン４２は、Ｏリングであってもよい。
また、第１防水パッキン３６、第２防水パッキン４４が両面テープで形成されてもよい。  
【００３７】
〔第２の実施の形態〕
図５は、防水型デジタルカメラのレンズ鏡胴３０のセンターでの垂直方向の外装カバーとコンバータレンズ３１の断面図、図６はその要部Ｂの拡大断面図である。なお、外観斜視図は、第１の実施の形態と同様であるので省略する。
ズーム時に前後に進退するレンズ鏡胴３０は、前カバー３２と一体に形成されて前方に突出し所定の隙間を有してレンズ鏡胴３０を覆う鏡胴カバー部３３を有し、その鏡胴カバー部３３先端３４と、レンズ鏡胴３０の前に配置されたカバーガラス３５との間にパッキン（第１パッキン）３６が挟まれ、コンバータレンズ３１を取り付けるためのねじ部（取付部）３７が設けられた円筒部材３８が、前カバー３２にネジ止めされた前外カバー（固定部材）３９により後方に押し付けられて、カバーガラス３５もまた後方に押し付けられている。
なお、この実施の形態では、円筒部材３８の後端４０と鏡胴カバー３３の中間部の段部４１との間にパッキンは挟まれておらず、カバーガラス３５と円筒部材３８の間にパッキン（第４パッキン）４７が挟まれている。
【００３８】
コンバータレンズ３１のネジ部（取付部）４３の前方に防水パッキン４４を備えていて、円筒状部材３８のネジ部３７に取り付けられると、コンバータレンズ３１に設けられたパッキン（第２パッキン）４４が円筒状部材３８に押し付けられて、結果としてカバーガラス３５とコンバータレンズ３１の間の空間４５が気密状態となる。
【００３９】
円筒部材３８と鏡胴カバー３３の外周（外側）は弾性部材４６で覆われていて、その弾性部材４６は円筒部材３８よりも僅かに前方に突出しているが、コンバータレンズ３１が装着された時には、ネジの締め付け力により弾性部材４６が後方に縮んでコンバータレンズ３１が円筒部材３８に当接する。
【００４０】
すなわち、防水型デジタルカメラ（撮像装置）は、焦点距離を変化させるズーム時に前後に進退するレンズ鏡胴３０と、前カバー３２と一体に形成されて前方に突出し、所定の隙間を有してレンズ鏡胴３０を被う鏡胴カバー３３と、その鏡胴カバー３３の先端に設けた、コンバータレンズ３１を取り付けるための取付部３７を有する円筒状部材３８と、その円筒状部材３８を手前に押し付けて固定する固定部材３９と、レンズ鏡胴３０の前方を覆い、鏡銅カバー３３の先端に設けるカバーガラス３５と、そのカバーガラス３５と鏡胴カバーとの間に挟まれた第１防水パッキン３６と、円筒状部材３８に取り付けるコンバータレンズ３１に有するねじ部（取付部）４３の前方に第２防水パッキン４４を備え、円筒状部材３８とカバーガラス３５との間に第４防水パッキン４７を備える。  
【００４１】
なお、第１防水パッキン３６、第２防水パッキン４４または第４防水パッキン４７はＯリングであってもよい。
また、第１防水パッキン３６、第２防水パッキン４４、第４防水パッキン４７は両面テープで形成されていてもよい。
【００４２】
さらに上述の２つの実施の形態において、円筒状部材３８が金属製であってもよいし、取付部３７，４３はねじでなく例えば凹凸の組み合わせであってもよい。
【図面の簡単な説明】
【００４３】
【図１】本発明の撮像装置に係る防水型デジタルカメラの前方斜視図である。
【図２】図１の後方斜視図である。
【図３】防水型デジタルカメラの断面図である。
【図４】図３の要部Ａの拡大断面図である。
【図５】別の防水型デジタルカメラの断面図である。
【図６】図５の要部Ｂの拡大断面図である。
【符号の説明】
【００４４】
１    デジタルカメラ本体
２    右手グリップ部
３    撮影レンズ
５    光学ファインダ
６    ストロボ
７    回転型モードダイヤル
８    電源スイッチ
９    シャッターボタン
１０    アクセサリシュー
１１    端子蓋
１２    電池蓋
１４    左手グリップ部
２１    ＬＣＤモニター
２２    ファインダ接眼部
２３    ファインダＬＥＤ窓
２４    ズームボタン
２５    モードスイッチ
３０    レンズ鏡銅
３１    コンバータレンズ
３２    前カバー
３３    鏡銅カバー
３４    先端
３５    カバーガラス
３６    防水パッキン（第１防水パッキン）
３７    ねじ部（取付部）
３８    円筒部材
３９    前外カバー（固定部材）
４０    後端
４１    段部
４２    防水パッキン（第３防水パッキン）
４３    ねじ部（取付部）
４４    防水パッキン（第２防水パッキン）
４５    空間
４６    弾性部材
４７    防水パッキン（第４防水パッキン）
【図１】
2005215152.tif 000003
【図２】
2005215152.tif 000004
【図３】
2005215152.tif 000005
【図４】
2005215152.tif 000006
【図５】
2005215152.tif 000007
【図６】
2005215152.tif 000008